(57)【要約】【課題】現像剤収容器に異物が混入するのを防止することができるようにする。【解決手段】現像剤供給口が形成された現像剤収容体と、該現像剤収容体に対して移動自在に配設され、移動に伴って、前記現像剤供給口を開閉する開閉部材と、該開閉部材を移動させるための操作部と、前記現像剤供給口の向きに応じて前記開閉部材の回動を阻止又は許容する回動規制部材とを有する。この場合、現像剤供給口の向きに応じて開閉部材の回動が阻止又は許容されるので、不用意に現像剤供給口が開くことがなくなる。したがって、現像剤収容器内に異物が混入するのを防止することができる。【選択図】図１
2008083659.tif 000002
【特許請求の範囲】
【請求項１】
（ａ）現像剤供給口が形成された現像剤収容体と、
（ｂ）該現像剤収容体に対して移動自在に配設され、移動に伴って、前記現像剤供給口を開閉する開閉部材と、
（ｃ）該開閉部材を移動させるための操作部と、
（ｄ）前記現像剤供給口の向きに応じて前記開閉部材の回動を阻止又は許容する回動規制部材とを有することを特徴とする現像剤収容器。
【請求項２】
前記回動規制部材は、現像剤収容器を、前記現像剤供給口が上方に向くように置いたときに、前記開閉部材の回動を阻止し、現像剤収容器を、前記現像剤供給口が下方に向くように置いたときに、前記開閉部材の回動を許容する請求項１に記載の現像剤収容器。
【請求項３】
前記回動規制部材は、現像剤収容器を、前記現像剤供給口が上方に向くように置いたときに、前記現像剤収容体と前記開閉部材とを連結し、現像剤収容器を、前記現像剤供給口が下方に向くように置いたときに、前記現像剤収容体と開閉部材との連結を解除する請求項１に記載の現像剤収容器。
【請求項４】
前記回動規制部材は、前記開閉部材に対して自重で揺動するように支持され、先端に、前記現像剤収容体に形成された係止部と係合させられる係合部を備える請求項１〜３のいずれか１項に記載の現像剤収容器。
【請求項５】
前記回動規制部材は、現像剤収容器を、前記現像剤供給口が下方に向くように置いたときに、前記操作部と前記開閉部材とを連結し、現像剤収容器を、前記現像剤供給口が上方に向くように置いたときに、前記操作部と開閉部材との連結を解除する請求項１に記載の現像剤収容器。
【請求項６】
前記回動規制部材は、前記開閉部材に対して自重で揺動するように支持され、先端に、前記操作部に形成された係止部と係合させられる係合部を備える請求項１又は５に記載の現像剤収容器。
【請求項７】
（ａ）前記開閉部材及び操作部は、選択的に連通させられる第１、第２の凹溝を備え、
（ｂ）前記回動規制部材は、前記第１、第２の凹溝内を自重で移動する請求項１又は５に記載の現像剤収容器。
【請求項８】
前記回動規制部材は、現像剤収容器を、前記現像剤供給口が下方に向くように置いたときに、前記操作部と前記開閉部材とを連結し、現像剤収容器を、前記現像剤供給口が上方に向くように置いたとき、及び現像剤供給口が上方に向く角度から側方に向く角度までの間の所定の角度に置いたときに、前記操作部と開閉部材との連結を解除する請求項１に記載の現像剤収容器。
【請求項９】
（ａ）前記開閉部材及び操作部は、選択的に連通させられ、テーパ形状を有する内周面を備える第１、第２の凹溝を備え、
（ｂ）前記回動規制部材は、前記第１、第２の凹溝内を自重で移動する請求項１又は８に記載の現像剤収容器。
【請求項１０】
請求項１〜９のいずれか１項に記載の現像剤収容器が搭載された画像形成ユニット。
【請求項１１】
請求項１０に記載の画像形成ユニットが搭載された画像形成装置。
【発明の詳細な説明】
【技術分野】
【０００１】
本発明は、現像剤収容器、画像形成ユニット及び画像形成装置に関するものである。
【背景技術】
【０００２】
従来、電子写真式のプリンタ、複写機、ファクシミリ装置、複合機等の画像形成装置、例えば、プリンタにおいては、画像形成ユニットが配設され、該画像形成ユニットに感光体ドラム、帯電ローラ、現像器等が配設される。そして、帯電ローラによって一様に、かつ、均一に帯電させられた感光体ドラムの表面をＬＥＤヘッドによって露光して静電潜像を形成し、該静電潜像を現像器によって現像してトナー像を形成し、該トナー像を転写ローラによって用紙に転写し、定着器によって定着させることにより、画像を形成し、印刷を行うようになっている。
【０００３】
ところで、前記画像形成ユニットにおいては、現像剤収容器としてのトナーカートリッジが着脱自在に配設され、該トナーカートリッジから前記現像器にトナーが供給される。そのために、トナーカートリッジの下面にトナー供給口が形成され、該トナー供給口を開閉するために、シャッタが配設される。該シャッタには開口部が形成され、シャッタと一体に形成された操作レバーを回動させ、前記トナー供給口と開口部とを合わせることによって、トナー供給口を開放することができる（例えば、特許文献１参照。）。
【特許文献１】特開２００３−５０５０５号公報
【発明の開示】
【発明が解決しようとする課題】
【０００４】
しかしながら、前記従来のトナーカートリッジにおいては、画像形成ユニットの本体、すなわち、画像形成ユニット本体に対して未装着の状態において、トナー供給口を上方に向けたまま開閉させることができるので、不用意にシャッタを開放すると、トナーカートリッジ内に異物が混入してしまうことがある。
【０００５】
本発明は、前記従来のトナーカートリッジの問題点を解決して、現像剤収容器に異物が混入するのを防止することができる現像剤収容器、画像形成ユニット及び画像形成装置を提供することを目的とする。
【課題を解決するための手段】
【０００６】
そのために、本発明の現像剤収容器においては、現像剤供給口が形成された現像剤収容体と、該現像剤収容体に対して移動自在に配設され、移動に伴って、前記現像剤供給口を開閉する開閉部材と、該開閉部材を移動させるための操作部と、前記現像剤供給口の向きに応じて前記開閉部材の回動を阻止又は許容する回動規制部材とを有する。
【発明の効果】
【０００７】
本発明によれば、現像剤収容器においては、現像剤供給口が形成された現像剤収容体と、該現像剤収容体に対して移動自在に配設され、移動に伴って、前記現像剤供給口を開閉する開閉部材と、該開閉部材を移動させるための操作部と、前記現像剤供給口の向きに応じて前記開閉部材の回動を阻止又は許容する回動規制部材とを有する。
【０００８】
この場合、前記現像剤供給口の向きに応じて前記開閉部材の回動が阻止又は許容されるので、不用意に現像剤供給口が開くことがなくなる。したがって、現像剤収容器内に異物が混入するのを防止することができる。
【発明を実施するための最良の形態】
【０００９】
以下、本発明の実施の形態について図面を参照しながら詳細に説明する。この場合、画像形成装置としてのプリンタについて説明する。
【００１０】
図２は本発明の第１の実施の形態におけるプリンタの概略図である。
【００１１】
図に示されるように、プリンタの下部に媒体収容部としての給紙カセット１１が配設され、該給紙カセット１１内に記録媒体としての図示されない用紙が収容される。前記給紙カセット１１の前端に隣接させて、用紙を１枚ずつ分離させて給紙するための給紙機構が配設される。該給紙機構は、給紙ローラ１２及び分離ローラ１３を備え、給紙機構によって給紙された用紙は、上方に配設された搬送ローラ１４に送られ、更に搬送ローラ１５に送られた後、ブラック、イエロー、マゼンタ及びシアンの各色の画像を形成する画像形成部としての画像形成ユニット１６Ｂｋ、１６Ｙ、１６Ｍ、１６Ｃに供給される。
【００１２】
該各画像形成ユニット１６Ｂｋ、１６Ｙ、１６Ｍ、１６Ｃには、像担持体としての感光体ドラム３１Ｂｋ、３１Ｙ、３１Ｍ、３１Ｃが配設され、該各感光体ドラム３１Ｂｋ、３１Ｙ、３１Ｍ、３１Ｃの表面を露光して静電潜像を形成するための露光装置としてのＬＥＤヘッド２２Ｂｋ、２２Ｙ、２２Ｍ、２２Ｃが、各画像形成ユニット１６Ｂｋ、１６Ｙ、１６Ｍ、１６Ｃに隣接させて、かつ、各感光体ドラム３１Ｂｋ、３１Ｙ、３１Ｍ、３１Ｃと対向させて配設される。
【００１３】
また、前記各画像形成ユニット１６Ｂｋ、１６Ｙ、１６Ｍ、１６Ｃに沿って、転写ユニットｕ１が配設され、該転写ユニットｕ１は、駆動ローラｒ１、従動ローラｒ２、前記駆動ローラｒ１と従動ローラｒ２との間に張設され、走行自在に配設された搬送部材としての搬送ベルト１７、及び該搬送ベルト１７を挟み、前記感光体ドラム３１Ｂｋ、３１Ｙ、３１Ｍ、３１Ｃと対向させて配設された転写部材としての転写ローラ２１Ｂｋ、２１Ｙ、２１Ｍ、２１Ｃを備える。
【００１４】
前記用紙は、前記搬送ベルト１７が走行させられるのに伴って搬送され、画像形成ユニット１６Ｂｋ、１６Ｙ、１６Ｍ、１６Ｃと転写ローラ２１Ｂｋ、２１Ｙ、２１Ｍ、２１Ｃとの間を通過し、該各転写ローラ２１Ｂｋ、２１Ｙ、２１Ｍ、２１Ｃは、各画像形成ユニット１６Ｂｋ、１６Ｙ、１６Ｍ、１６Ｃにおいて形成された各色の現像剤像としてのトナー像を、用紙に順次重ねて転写し、カラーのトナー像を形成する。
【００１５】
続いて、用紙は、定着装置としての定着器１８に送られ、該定着器１８においてカラーのトナー像が用紙に定着させられ、カラーの画像が形成される。そして、定着器１８から排出された用紙は、搬送ローラ１９によって搬送された後、排出搬送ローラ２０によってプリンタ外に排出される。
【００１６】
次に、前記画像形成ユニット１６Ｂｋ、１６Ｙ、１６Ｍ、１６Ｃについて説明する。なお、該画像形成ユニット１６Ｂｋ、１６Ｙ、１６Ｍ、１６Ｃは、いずれも構造が同じであるので、画像形成ユニット１６Ｂｋについて説明し、画像形成ユニット１６Ｙ、１６Ｍ、１６Ｃについては、説明を省略する。
【００１７】
図３は本発明の第１の実施の形態における画像形成ユニットの配設された状態を示す断面図である。
【００１８】
図に示されるように、前記画像形成ユニット１６Ｂｋにおいて、画像形成ユニット本体３７に対して、現像剤としてのトナーを収容した現像剤収容器としてのトナーカートリッジ４１が着脱自在に配設され、該トナーカートリッジ４１から前記画像形成ユニット本体３７内に配設された現像器３０にトナーが供給される。そのために、トナーカートリッジ４１における現像剤収容体としてのケース４３の下面に現像剤供給口としてのトナー供給口４４が形成され、該トナー供給口４４を開閉するために、開閉部材としてのシャッタ４２が移動自在に、本実施の形態においては、回動自在に配設される。該シャッタ４２には開口部４２ａが形成され、シャッタ４２と一体に形成された操作部としての図示されない操作レバーを回動させ、シャッタ４２を移動、本実施の形態においては、シャッタ４２を回動させ、前記トナー供給口４４と開口部４２ａとを合わせることによって、トナー供給口４４を開放することができる。また、操作レバーを回動させ、シャッタ４２を回動させ、前記トナー供給口４４と開口部４２ａとをずらすことによって、トナー供給口４４を閉鎖することができる。
【００１９】
一方、画像形成ユニット本体３７には、トナーカートリッジ４１をセットするために、凹面から成る取付面が形成され、該取付面に前記トナー供給口４４と対応させて現像剤補給口としてのトナー補給口４５が形成される。したがって、トナー供給口４４が開放されると、トナーカートリッジ４１内のトナーがトナー補給口４５を介して画像形成ユニット本体３７内に供給される。
【００２０】
ところで、画像形成ユニット１６Ｂｋは、感光体ドラム３１Ｂｋ、該感光体ドラム３１Ｂｋの表面を一様に、かつ、均一に帯電させる帯電装置としての帯電ローラ３２、トナーを保持する現像剤担持体としての現像ローラ３３、該現像ローラ３３にトナーを供給する現像剤供給部材としてのトナー供給ローラ３４、前記現像ローラ３３上に供給されたトナーを均一に薄層化する現像剤層規制部材としての現像ブレード３５、及びトナー像の転写後に感光体ドラム３１Ｂｋに残留したトナーを除去するクリーニング装置としてのクリーニングブレード３６を備える。
【００２１】
前記感光体ドラム３１Ｂｋは、アルミニウム等から成る導電性基層、及び有機感光体から成る表層によって形成され、帯電ローラ３２は、導電性の金属シャフトにエピクロルヒドリンゴム等の半導電性のロール状のゴムを被覆して形成され、現像ローラ３３は、導電性の金属シャフトにシリコーン等の半導電性のゴムを被覆して形成され、トナー供給ローラ３４は、導電性の金属シャフトに、トナーの搬送性を向上させるために、混練時に、発泡剤を添加して形成されたゴムを被覆して形成される。
【００２２】
前記帯電ローラ３２、現像ローラ３３及びクリーニングブレード３６は前記感光体ドラム３１Ｂｋと接触させて配設され、前記トナー供給ローラ３４及び現像ブレード３５は現像ローラ３３と接触させて配設される。また、図示されない現像ローラ用の電源、トナー供給ローラ用の電源及び現像ブレード用の電源がそれぞれ前記現像ローラ３３、トナー供給ローラ３４及び現像ブレード３５と接続され、現像ローラ３３、トナー供給ローラ３４及び現像ブレード３５にバイアス電圧を印加する。
【００２３】
前記構成のプリンタにおいて、印刷時に、前記現像ローラ３３及びトナー供給ローラ３４は、現像剤供給用の駆動部としての図示されない駆動モータによって、いずれも反時計回りに回転させられ、トナー供給ローラ３４によって現像ローラ３３にトナーが供給される。そして、前記現像ローラ３３に供給されたトナーは、現像ローラ３３の回転に伴って現像ローラ３３と前記現像ブレード３５との接触部に送られ、現像ブレード３５によって余剰のトナーが掻き落とされ、薄層化され、その後、現像ローラ３３の回転に伴って感光体ドラム３１Ｂｋに送られる。
【００２４】
一方、該感光体ドラム３１Ｂｋは、画像形成用の駆動部としての図示されないドラムモータを駆動するとによって所定の方向に回転させられ、感光体ドラム３１Ｂｋの回転に伴って、該感光体ドラム３１Ｂｋの表面は、帯電ローラ３２によって一様に、かつ、均一に帯電させられ、ＬＥＤヘッド２２Ｂｋによって露光されて静電潜像が形成され、該静電潜像に前記現像ローラ３３上のトナーが静電的に付着させられてトナー像が形成される。
【００２５】
図１は本発明の第１の実施の形態におけるトナーカートリッジの分解斜視図、図４は本発明の第１の実施の形態におけるシャッタの取付状態を示す第１の図、図５は本発明の第１の実施の形態におけるシャッタの取付状態を示す第２の図である。
【００２６】
図１において、４１は現像剤収容器としてのトナーカートリッジであり、該トナーカートリッジ４１において、内部にトナーを収容するためのケース４３が配設され、該ケース４３の下面にトナー供給口４４が形成される。該トナー供給口４４を開閉するためのシャッタ４２は、トナー供給口４４を閉鎖するための遮蔽部４２ｃ、及び前記トナー供給口４４を開放するための開口部４２ａを有する。また、前記遮蔽部４２ｃの外周面にはシール部材４２ｄが貼付け等によって取り付けられ、トナー供給口４４から未使用のトナーが外部に漏れ出すのを防止する。さらに、前記シャッタ４２には操作部としての操作レバー４２ｂが一体に形成される。そして、前記ケース４３と操作レバー４２ｂとの間には、操作レバー４２ｂの回動を規制し、回動範囲を設定する規制部材４６が配設される。
【００２７】
なお、図４はトナー供給口を閉鎖した状態を、図５はトナー供給口を開放した状態を示す。
【００２８】
この場合、前記規制部材４６を押すとロックが解除され、操作レバー４２ｂが回動可能になり、操作レバー４２ｂを規制部材４６に突き当たるまで回動することによってシャッタ４２の開口部４２ａとトナー供給口４４とが合わされ、トナー供給口４４が開放される。
【００２９】
図６は本発明の第１の実施の形態におけるトナーカートリッジの要部を示す第１の断面図、図７は本発明の第１の実施の形態におけるトナーカートリッジの要部を示す第１の斜視図、図８は本発明の第１の実施の形態におけるトナーカートリッジの要部を示す第２の断面図、図９は本発明の第１の実施の形態におけるトナーカートリッジの要部を示す第２の斜視図である。
【００３０】
図に示されるように、ケース４３には、トナー供給口４４と隣接する部分の内周面に、所定の深さを有する係止部としての凹溝５１が形成される。また、シャッタ４２には、遮蔽部４２ｃに貫通孔５２が形成され、該貫通孔５２は、トナー供給口４４を閉鎖したときに、凹溝５１と同じ位置になるように形成される。
【００３１】
そして、ほぼ「Ｌ」字状の形状を有する回動規制部材としての連結部材５３が、シャッタ４２に配設された軸受け部５４によって揺動自在に支持され、連結位置及び解除位置を採る。前記連結部材５３は、第１、第２のアーム５３ａ、５３ｂを備え、第１のアーム５３ａの先端に、前記貫通孔５２を貫通して凹溝５１と係合する係合部５３ｃが形成され、第２のアーム５３ｂの先端に錘部５３ｄが形成され、前記連結部材５３は自重によって揺動させられる。なお、前記第２のアーム５３ｂにおける第１のアーム５３ａと近接する位置に揺動中心が置かれる。
【００３２】
次に、前記連結部材５３の動作について説明する。
【００３３】
この場合、前記トナー供給口４４の向きに応じて前記シャッタ４２の回動が阻止又は許容される。すなわち、図６及び７に示されるように、前記トナーカートリッジ４１を、トナー供給口４４が上方に向くように置くと、連結部材５３は、連結位置を採り、錘部５３ｄが自重によって下方に下がり、それに伴って反対側の係合部５３ｃが上方に持ち上がり、ケース４３の凹溝５１の底面に接触し、凹溝５１及び貫通孔５２と係合させられる。これにより、ケース４３とシャッタ４２とが連結されるので、シャッタ４２の回動が阻止される。
【００３４】
次に、図８及び９に示されるように、前記トナーカートリッジ４１を、トナー供給口４４が下方に向くように置くと、連結部材５３は、解除位置を採り、錘部５３ｄが自重によって下方に下がり、シャッタ４２の内周面に接触し、係合部５３ｃが上方に持ち上がり、ケース４３の凹溝５１と係合しなくなる。これにより、ケース４３とシャッタ４２との連結が解除されるので、シャッタ４２の回動が許容される。
【００３５】
このように、本実施の形態においては、前記ケース４３に凹溝５１が、シャッタ４２に貫通孔５２が形成され、凹溝５１及び貫通孔５２と係脱自在に連結部材５３が配設されるので、トナーカートリッジ４１を、トナー供給口４４が上方に向くように置くと、連結部材５３によってケース４３とシャッタ４２とが連結され、シャッタ４２を回動させることができなくなるので、不用意にトナー供給口４４が開くことがなくなる。したがって、トナーカートリッジ４１内に異物が混入するのを防止することができる。
【００３６】
また、該トナーカートリッジ４１を、トナー供給口４４が下方に向くように置くと、ケース４３とシャッタ４２との連結が解除され、シャッタ４２を回動させることができるようになる。したがって、トナーカートリッジ４１を使用することができる。
【００３７】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００３８】
図１０は本発明の第２の実施の形態におけるトナーカートリッジの分解斜視図、図１１は本発明の第２の実施の形態におけるシャッタの取付状態を示す斜視図である。
【００３９】
この場合、前記トナー供給口４４を開閉する開閉部材としてのシャッタ６２は、トナー供給口４４を閉鎖するための遮蔽部６２ｃ、及び前記トナー供給口４４を開放するための開口部６２ａを有する。また、前記遮蔽部６２ｃの外周面にはシール部材６２ｄが貼付け等によって取り付けられ、トナー供給口４４から未使用のトナーが外部に漏れ出すのを防止する。そして、シャッタ６２を回動させるための操作部としての操作レバー６３が、シャッタ６２の端部に配設され、筒状の形状を有する摺動部６２ｂに対して回転自在に、かつ、摺動自在に取り付けられ、前記ケース４３の図示されない保持部によって保持される。また、前記ケース４３と操作レバー６３との間には、操作レバー６３の回動を規制し、回動範囲を設定する規制部材４６が配設される。
【００４０】
図１２は本発明の第２の実施の形態におけるトナーカートリッジの要部を示す第１の断面図、図１３は本発明の第２の実施の形態におけるトナーカートリッジの要部を示す第１の斜視図、図１４は本発明の第２の実施の形態におけるトナーカートリッジの要部を示す第２の断面図、図１５は本発明の第２の実施の形態におけるトナーカートリッジの要部を示す第２の斜視図である。
【００４１】
図に示されるように、前記摺動部６２ｂに貫通孔７２が形成され、該貫通孔７２は、操作レバー６３を回動させて、遮蔽部６２ｃがトナー供給口４４を覆う位置、すなわち、シャッタ６２を閉鎖する位置に置かれたときに、最下部に向くように形成される。また、前記操作レバー６３には、摺動部６２ｂを包囲し、該摺動部６２ｂと摺動する部分の内周面に、所定の深さを有する係止部としての凹溝７１が形成される。該凹溝７１は、操作レバー６３を回動させて、シャッタ６２を閉鎖する位置に置いたときに、貫通孔７２と同じ位置になるように形成される。
【００４２】
そして、「Ｌ」字状の形状を有する回動規制部材としての連結部材７３が、シャッタ６２に配設された軸受け部７４によって揺動自在に支持される。前記連結部材７３は、第１、第２のアーム７３ａ、７３ｂを備え、第１のアーム７３ａの先端には、前記貫通孔７２を貫通して凹溝７１と係合する係合部７３ｃが形成され、第２のアーム７３ｂの先端に揺動中心が置かれ、前記連結部材７３は自重によって揺動させられる。なお、軸受け部７４には、連結部材７３の回動角度を規制する回転止め面７４ａが形成される。
【００４３】
次に、前記連結部材７３の動作について説明する。
【００４４】
まず、図１２及び１３に示されるように、トナーカートリッジ４１を、トナー供給口４４が上方に向くように置くと、連結部材７３は解除位置を採り、第１のアーム７３ａが自重によって下方に下がり、第２のアーム７３ｂが回転止め面７４ａに接触して停止させられ、係合部７３ｃは凹溝７１と係合しなくなる。これにより、シャッタ６２と操作レバー６３との連結が解除されるので、操作レバー６３を回動させてもシャッタ６２の回動が阻止される。
【００４５】
次に、図１４及び１５に示されるように、トナーカートリッジ４１を、トナー供給口４４が下方に向くように置くと、連結部材７３は連結位置を採り、第１のアーム７３ａが自重によって下方に下がり、係合部７３ｃは、貫通孔７２を貫通して凹溝７１の底面に接触し、貫通孔７２及び凹溝７１と係合させられる。これにより、シャッタ６２と操作レバー６３とが連結されるので、シャッタ４２の回動が許容される。
【００４６】
このように、本実施の形態においては、操作レバー６３に凹溝７１が、シャッタ６２の摺動部６２ｂに貫通孔７２が形成され、凹溝７１及び貫通孔７２と係脱自在に連結部材７３が配設されるので、トナーカートリッジ４１を、トナー供給口４４が上方に向くように置くと、シャッタ６２と操作レバー６３との連結が解除され、操作レバー６３を回動させてもシャッタ６２を回動させることができなくなるので、不用意にトナー供給口４４が開くことがなくなる。したがって、トナーカートリッジ４１内に異物が混入するのを防止することができる。
【００４７】
また、トナーカートリッジ４１を、トナー供給口４４が下方に向くように置くと、シャッタ６２と操作レバー６３とが連結されるので、シャッタ６２を回動させることができるようになる。したがって、トナーカートリッジ４１を使用することができる。
【００４８】
次に、本発明の第３の実施の形態について説明する。なお、第１、第２の実施の形態と同じ構造を有するものについては、同じ符号を付与することによってその説明を省略し、同じ構造を有することによる発明の効果については同実施の形態の効果を援用する。
【００４９】
図１６は本発明の第３の実施の形態におけるトナーカートリッジの要部を示す第１の断面図、図１７は本発明の第３の実施の形態におけるトナーカートリッジの要部を示す第２の断面図である。
【００５０】
図に示されるように、現像剤供給口としてのトナー供給口４４を開閉するための開閉部材としてのシャッタ６２は摺動部６２ｂを備え、該摺動部６２ｂには、第１の凹溝としての内側凹溝２０６が形成される。該内側凹溝２０６は、操作部としての操作レバー６３を回動させて、遮蔽部６２ｃがトナー供給口４４を覆う位置、すなわち、シャッタ６２を閉鎖する位置に置かれたときに、最下部に向くように形成される。一方、前記操作レバー６３には、摺動部６２ｂを包囲し、該摺動部６２ｂと摺動する部分の内周面に、所定の深さを有する係止部としての、かつ、第２の凹溝としての外側凹溝２０７が形成される。該外側凹溝２０７は、操作レバー６３を回動させて、シャッタ６２を閉鎖する位置に置いたときに、内側凹溝２０６と同じ位置になるように形成され、外側凹溝２０７と内側凹溝２０６とは選択的に連通させられる。
【００５１】
また、該内側凹溝２０６内には、回動規制部材としての連結部材２２０が、摺動自在に収容され、かつ、自重により選択的に移動して外側凹溝２０７に進入し、操作レバー６３とシャッタ６２とを選択的に連結する。なお、連結部材２２０の長さをＬとし、内側凹溝２０６の深さをｄｉとし、外側凹溝２０７の深さをｄｏとしたとき、
ｄｏ＜Ｌ＜ｄｉ
にされる。また、本実施の形態においては、内側凹溝２０６及び外側凹溝２０７は、いずれも、断面が円形の形状を有し、同じ内径を有する。そして、前記連結部材２２０は、内側凹溝２０６及び外側凹溝２０７内において円滑に移動することができるように、断面が円形の形状を有し、前記内側凹溝２０６及び外側凹溝２０７の内径よりわずかに小さい内径を有する。
【００５２】
次に、前記連結部材２２０の動作について説明する。
【００５３】
まず、図１６に示されるように、トナーカートリッジ４１を、トナー供給口４４が上方に向くように置くと、連結部材２２０は、自重によって下方に下がり、解除位置を採り、外側凹溝２０７と係合しなくなる。これにより、シャッタ６２と操作レバー６３との連結が解除されるので、操作レバー６３を回動させてもシャッタ６２の回動が阻止される。
【００５４】
次に、図１７に示されるように、トナーカートリッジ４１を、トナー供給口４４が下方に向くように置くと、連結部材２２０は、自重によって下方に下がり、外側凹溝２０７内に進入し、底面に接触し、外側凹溝２０７と係合させられる。これにより、シャッタ６２と操作レバー６３とが連結されるので、シャッタ４２の回動が許容される。なお、前記連結部材２２０の外側凹溝２０７側の端部によって係合部が構成される。
【００５５】
このように、本実施の形態においては、操作レバー６３に外側凹溝２０７が、摺動部６２ｂに内側凹溝２０６が形成され、外側凹溝２０７と係脱自在に連結部材２２０が配設されるので、トナーカートリッジ４１を、トナー供給口４４が上方に向くように置くと、シャッタ４２と操作レバー６３との連結が解除され、操作レバー６３を回動させてもシャッタ６２を回動させることができなくなるので、不用意にトナー供給口４４が開くことがなくなる。したがって、トナーカートリッジ４１内に異物が混入するのを防止することができる。
【００５６】
また、トナーカートリッジ４１を、トナー供給口４４が下方に向くように置くと、シャッタ６２と操作レバー６３とが連結されるので、シャッタ６２を回動させることができるようになる。したがって、トナーカートリッジ４１を使用することができる。
【００５７】
次に、本発明の第４の実施の形態について説明する。なお、第１〜第３の実施の形態と同じ構造を有するものについては、同じ符号を付与することによってその説明を省略し、同じ構造を有することによる発明の効果については同実施の形態の効果を援用する。
【００５８】
図１８は本発明の第４の実施の形態におけるトナーカートリッジの要部を示す第１の断面図、図１９は本発明の第４の実施の形態におけるトナーカートリッジの要部を示す第２の断面図、図２０は本発明の第４の実施の形態におけるトナーカートリッジの要部を示す第３の断面図、図２１は本発明の第４の実施の形態におけるテーパ角度を設定する方法を示す概念図である。
【００５９】
図に示されるように、現像剤供給口としてのトナー供給口４４を開閉するための開閉部材としてのシャッタ６２は摺動部６２ｂを備え、該摺動部６２ｂには、第１の凹溝としての内側凹溝３０６が形成される。該内側凹溝３０６は、断面が円形の形状を有し、シャッタ６２における径方向内方ほど内径が大きくされ、径方向外方ほど内径が小さくされ、テーパ状の形状を有する内周面を有する。また、内側凹溝３０６は、操作部としての操作レバー６３を回動させて、遮蔽部６２ｃがトナー供給口４４を覆う位置、すなわち、シャッタ６２を閉鎖する位置に置かれたときに、最下部に向くように形成される。
【００６０】
一方、前記操作レバー６３には、摺動部６２ｂを包囲し、該摺動部６２ｂと摺動する部分の内周面に、所定の深さを有する係止部としての、かつ、第２の凹溝としての外側凹溝３０７が形成される。該外側凹溝３０７は、操作レバー６３を回動させて、シャッタ６２を閉鎖する位置に置いたときに、内側凹溝３０６と同じ位置になるように形成される。
【００６１】
前記外側凹溝３０７は、断面が円形の形状を有し、操作レバー６３における径方向内方ほど内径が大きくされ、径方向外方ほど内径が小さくされ、内側凹溝３０６の内周面の延長線上に、テーパ状の形状を有する内周面を有する。前記内側凹溝３０６の内周面及び外側凹溝３０７の内周面は同じテーパ角度で形成される。
【００６２】
また、前記内側凹溝３０６内には、回動規制部材としての連結部材３２０が、摺動自在に収容され、かつ、自重により選択的に移動して外側凹溝３０７に進入し、操作レバー６３とシャッタ６２とを選択的に連結する。なお、連結部材３２０の長さをＬとし、内側凹溝３０６の深さをｄｉとし、外側凹溝３０７の深さをｄｏとしたとき、
ｄｏ＜Ｌ＜ｄｉ
にされる。
【００６３】
そして、前記連結部材３２０は、内側凹溝３０６及び外側凹溝３０７内において円滑に移動することができるように、断面が円形の形状を有し、連結部材３２０の外周面と前記内側凹溝３０６及び外側凹溝３０７の内周面とが同じテーパ角度で形成される。
【００６４】
次に、前記連結部材３２０の動作について説明する。
【００６５】
まず、図１８に示されるように、トナーカートリッジ４１を、トナー供給口４４が上方に向くように置くと、連結部材３２０は、自重によって下方に下がり、解除位置を採る。このとき、連結部材３２０の長さＬは、内側凹溝３０６の深さｄｉより短いので、内側凹溝３０６内に納まり、外側凹溝３０７と係合しなくなる。これにより、シャッタ６２と操作レバー６３との連結が解除されるので、操作レバー６３を回動させてもシャッタ６２の回動が阻止される。
【００６６】
次に、図１９に示されるように、トナーカートリッジ４１を、トナー供給口４４が下方に向くように置くと、連結部材３２０は、自重によって下方に下がる。このとき、連結部材３２０は、外側凹溝３０７内に進入し、底面に接触するが、連結部材３２０の長さＬは外側凹溝３０７の深さｄｏより長いので、外側凹溝３０７と係合させられる。これにより、シャッタ６２と操作レバー６３とが連結されるので、シャッタ４２の回動が許容される。なお、前記連結部材３２０が底面に接触したときに、前記内側凹溝３０６及び外側凹溝３０７の内周面と連結部材３２０の外周面とが接触するように連結部材３２０の寸法が設定される。  
【００６７】
ところで、本実施の形態においては、トナーカートリッジ４１を、図１８に示されるように、トナー供給口４４が上方に向くように置いた状態から傾けて、図１８における反時計回りに９０〔°〕回転させた場合、連結部材３２０は、図２０に示されるように、内側凹溝３０６の底面に接触した状態に維持される。同様に、トナーカートリッジ４１を傾けて、図１８における時計回りに９０〔°〕回転させた場合、連結部材３２０は、内側凹溝３０６の底面に接触した状態に維持される。
【００６８】
すなわち、トナーカートリッジ４１を、現像剤供給口４４が上方に向く角度から側方に向く角度までの間の所定の角度に置いたとき、連結部材３２０は、内側凹溝３０６の底面に接触した状態に維持される。
【００６９】
これに対して、トナーカートリッジ４１を、図１９に示されるように、トナー供給口４４が下方に向くように置いた状態から、図１９における反時計回り、又は時計回りに９０〔°〕回転させた場合に、連結部材３２０が、図１９に示されるように外側凹溝３０７の底面に接触した状態に維持されると、シャッタ６２と操作レバー６３とが連結されたままになり、シャッタ４２の回動が許容されたままになる。
【００７０】
そこで、本実施の形態においては、前記トナーカートリッジ４１を、図１９に示されるように、トナー供給口４４が下方に向くように置いた状態から傾けて、図１９における反時計回り、又は時計回りに９０〔°〕回転させた場合に、自重で移動して、図２０に示されるように、内側凹溝３０６の底面に接触した状態になるように、前記内側凹溝３０６、外側凹溝３０７及び連結部材３２０の各テーパ角度を設定するようにしている。
【００７１】
すなわち、本実施の形態においては、前記テーパ角度をθとしたとき、トナーカートリッジ４１を、トナー供給口４４が下方に向くように置いた状態から傾けて、図１９における反時計回り、又は時計回りに９０〔°〕回転させた場合に、少なくとも回転が終了する時点で、連結部材３２０が、確実に前記外側凹溝３０７及び内側凹溝３０６の内周面を滑って移動し、内側凹溝３０６の底面に接触した状態になるように、
４５〔°〕≧θ≧２０〔°〕
に設定される。
【００７２】
なお、前記テーパ角度θが４５〔°〕より大きくなると、前記内側凹溝３０６の底面の寸法（面積）がその分大きくなり、内側凹溝３０６及び外側凹溝３０７の占有面積が大きくなるので、内側凹溝３０６及び外側凹溝３０７を形成する箇所に制約が生じてしまう。
【００７３】
一方、前記テーパ角度θが２０〔°〕より小さくなると、前記内側凹溝３０６及び外側凹溝３０７内において連結部材３２０を確実に移動させることが困難になってしまう。
【００７４】
すなわち、例えば、シャッタ６２及び操作レバー６３の材料が同じＡＢＳ樹脂であり、連結部材３２０の材料がステンレス鋼（ＳＵＳ）であり、ＡＢＳ樹脂とステンレス鋼との静上摩擦係数μを０．３７とし、連結部材３２０の重量Ｍｇを０．３〔ｇ〕としたとき、図２１において、連結部材３２０を移動させるために、
Ｍｇ・ｓｉｎθ≧μ・Ｍｇ・ｃｏｓθ
θ≧ｔａｎ-1μ≒２０〔°〕
にする必要がある。
【００７５】
したがって、前述されたように、テーパ角度θを、
θ≧２０〔°〕
にするのが好ましい。
【００７６】
このように、本実施の形態においては、操作レバー６３に外側凹溝３０７が、摺動部６２ｂに内側凹溝３０６が形成され、連結部材３２０が、外側凹溝３０７及び内側凹溝３０６内を移動して、操作レバー６３とシャッタ６２とを選択的に連結するので、不用意にトナー供給口４４が開くことがなくなる。したがって、トナーカートリッジ４１内に異物が混入するのを防止することができる。
【００７７】
前記各実施の形態においては、画像形成装置としてのプリンタについて説明しているが、本発明を、複写機、ファクシミリ装置、複合機等に適用することができる。
【００７８】
なお、本発明は前記各実施の形態に限定されるものではなく、本発明の趣旨に基づいて種々変形させることが可能であり、それらを本発明の範囲から排除するものではない。
【図面の簡単な説明】
【００７９】
【図１】本発明の第１の実施の形態におけるトナーカートリッジの分解斜視図である。
【図２】本発明の第１の実施の形態におけるプリンタの概略図である。
【図３】本発明の第１の実施の形態における画像形成ユニットの配設された状態を示す断面図である。
【図４】本発明の第１の実施の形態におけるシャッタの取付状態を示す第１の図である。
【図５】本発明の第１の実施の形態におけるシャッタの取付状態を示す第２の図である。
【図６】本発明の第１の実施の形態におけるトナーカートリッジの要部を示す第１の断面図である。
【図７】本発明の第１の実施の形態におけるトナーカートリッジの要部を示す第１の斜視図である。
【図８】本発明の第１の実施の形態におけるトナーカートリッジの要部を示す第２の断面図である。
【図９】本発明の第１の実施の形態におけるトナーカートリッジの要部を示す第２の斜視図である。
【図１０】本発明の第２の実施の形態におけるトナーカートリッジの分解斜視図である。
【図１１】本発明の第２の実施の形態におけるシャッタの取付状態を示す斜視図である。
【図１２】本発明の第２の実施の形態におけるトナーカートリッジの要部を示す第１の断面図である。
【図１３】本発明の第２の実施の形態におけるトナーカートリッジの要部を示す第１の斜視図である。
【図１４】本発明の第２の実施の形態におけるトナーカートリッジの要部を示す第２の断面図である。
【図１５】本発明の第２の実施の形態におけるトナーカートリッジの要部を示す第２の斜視図である。
【図１６】本発明の第３の実施の形態におけるトナーカートリッジの要部を示す第１の断面図である。
【図１７】本発明の第３の実施の形態におけるトナーカートリッジの要部を示す第２の断面図である。
【図１８】本発明の第４の実施の形態におけるトナーカートリッジの要部を示す第１の断面図である。
【図１９】本発明の第４の実施の形態におけるトナーカートリッジの要部を示す第２の断面図である。
【図２０】本発明の第４の実施の形態におけるトナーカートリッジの要部を示す第３の断面図である。
【図２１】本発明の第４の実施の形態におけるテーパ角度を設定する方法を示す概念図である。
【符号の説明】
【００８０】
４１    トナーカートリッジ
４２、６２    シャッタ
４２ｄ、６３    操作レバー
４３    ケース
４４    トナー供給口
５３、７３、２２０、３２０    連結部材
【図１】
2008083659.tif 000003
【図２】
2008083659.tif 000004
【図３】
2008083659.tif 000005
【図４】
2008083659.tif 000006
【図５】
2008083659.tif 000007
【図６】
2008083659.tif 000008
【図７】
2008083659.tif 000009
【図８】
2008083659.tif 000010
【図９】
2008083659.tif 000011
【図１０】
2008083659.tif 000012
【図１１】
2008083659.tif 000013
【図１２】
2008083659.tif 000014
【図１３】
2008083659.tif 000015
【図１４】
2008083659.tif 000016
【図１５】
2008083659.tif 000017
【図１６】
2008083659.tif 000018
【図１７】
2008083659.tif 000019
【図１８】
2008083659.tif 000020
【図１９】
2008083659.tif 000021
【図２０】
2008083659.tif 000022
【図２１】
2008083659.tif 000023